(57)【要約】【課題】安全で、使用快適性がある鉈ケースを開発する。【解決手段】鉈の刃部を納める鞘部（６）の上端に形成された鯉口（２）とその鯉口（２）の外側縁（２１）に形成された切欠き（２２）に鉈の柄の口金を嵌め、その口金を外側から保持舌（９）の先端に形成された保持部（９２）で押さえて保持する。保持舌（９）は固定具（４）のシャフト（４１）に巻きつけたねじりばね（８）の付勢力によって、切り欠（２２）方向へ押されるようにした。【選択図】図１
0003170079.tif 000002
【実用新案登録請求の範囲】
【請求項１】
鉈を差し込んで携帯するための鉈ケース（１）において、鞘部（６）の上端に鯉口（２）を開口し、前記鯉口（２）の表面側である外側縁（２１）が凹型の切欠き（２２）を設け、鞘部（６）に鉈の保持機構を設けるとともにそのカバー（３）を設けたものであって、前記保持機構は、鞘部（６）の表面側の略中央部にシャフト（４１）を備えるコの字型の固定具（４）を固着して設け、前記シャフト（４１）の中央部にねじりばね（８）を巻きつけ、前記ねじりばね（８）をまたいで保持舌（９）を巻きつけて前記シャフト（４１）に回転自在に取り付け、前記保持舌（９）は、前記切欠き（２２）側へ突出する形状で側面視で略「く」の字型の保持部（９２）を有し、前記ねじりばね（８）の一方のアーム（８１）は前記保持舌（９）に当接して固定し、さらに他方のアーム（８２）の先端は、前記保持舌（９）に設けられた孔（９１）を貫通して前記鞘部（６）の表面側に垂直に立設された支柱（７）の先端で固定し、前記保持舌（９）の「く」の字状の屈折部は、前記ねじりばね（８）の付勢力によって、前記鯉口（２）方向へ常時押されているように構成されことを特徴とする鉈ケース。
【請求項２】
前記カバー（３）は前記切欠き（２２）の下端から固定具（４）迄を覆う長さで、このカバー（３）から露出している「く」の字型の保持部（９２）の先端より高さと幅が大きいことを特徴とする請求項１に記載の鉈ケース。
【請求項３】
前記鞘部（６）の表面側の下方縁中央部に三角管（１２）を設け、前記三角管（１２）に、作業者の肢に巻きつけられる長さを有する伸縮バンド（１２１）とそれに直角に縫着された伸縮紐（１２２）及びその伸縮紐の先端に取り付けられたカラビナ（１２３）からなる固定バンド（１２０）をそのカラビナ（１２３）で装着したことを特徴とする請求項１に記載の鉈ケース。
【請求項４】
前記鯉口（２）は、鉈の刃部の厚みと幅に相応する口径で開口し、鯉口（２）の表面一部に閉塞部（２０）を設けたことを特徴とする請求項１に記載の鉈ケース。
【考案の詳細な説明】
【技術分野】
【０００１】
本考案は、鉈（ナタ）のケースに関するものである。
【背景技術】
【０００２】
本考案は、従前市販の刃物、特に鉈用ケースの使いやすさを追求し、その安全性を向上させるとともに、優れた作業効率を有し、安全で使用快適性がある鉈ケースに関するものである。
【０００３】
鉈及びそれに用いる鉈ケースは、畑、山や林などにおいて、大量かつ種種な低木、木の枝及び雑草等を伐採あるいは剪定することを前提とし、長時間に渡って、足元や手元が不安定な環境で使用する物品である。
【０００４】
そのような環境において使用される鉈とそれに用いる鉈ケースは使用者への使用快適性はもちろん、作業者に対する安全面には特に厳しく製品を開発することが求められる刃物器具である。
【０００５】
市販の「鉈鞘」等は、皮革製や木製のケースに鉈の刃部を入れ、柄をバンド等で留めて腰ベルトに吊るす構造が一般的である。鉈の保持、又は固定方法は鉈の柄をバンドで巻いてホックや面状テープで保持する構造である。
【先行技術文献】
【特許文献】
【０００６】
【特許文献１】実開平５−８５３７０
【考案の概要】
【考案が解決しようとする課題】
【０００７】
従来の鞘やケースの前記構造では、作業で鉈を使用し、やにわにケースに収納し柄をバンドで固定する一連の動作を頻繁に繰り返さなくてならず、作業の効率の観点から問題があった。
また、そのような理由で、刃をケースに納めても柄を保持せずに使用すると、灌木に鉈や鉈ケースが触れて、その拍子に鉈が鞘走りして落下して、作業者の足を傷つける事故や鉈を紛失するなどの問題が生じている。
【０００８】
本考案は、従来技術の問題点に鑑み、構造上鉈の鞘走りの可能性を低くするとともに、刃の収納、柄の固定および鉈のケースからの取り出しをスムーズに行える鉈ケースを提供することを課題とする。
【課題を解決するための手段】
【０００９】
本件考案者は、具体的課題として鉈ケースとして求められる安全かつ作業効率的で扱いやすい特徴を持つことを掲げ、課題の解決に臨んだ。
【００１０】
上記課題を解決するために、
本考案の鉈ケースは、鞘部とその裏面側の上端に固着したベルトループとからなり、鞘部の上端に形成された鯉口と、前記鯉口の表面側である外側縁が凹型形成された切欠きからなり、鞘部の表面側の略中央部にシャフトを備えるコの字型の固定具を固着して、前記シャフトの中央部にねじりばねを巻きつけ、前記ねじりばねをまたいで保持舌を巻きつけて固定して、前記ねじりばねの一方のアームは前記保持舌に当接して固定し、さらに他方のアームの先端は、前記保持舌に設けられた孔を貫通して前記鞘部の表面側に垂直に立設された支柱の先端で固定されており、前記保持舌は、その先端に備えられ、前記切欠き側へ突出するくの字型の保持部を有していて、前記ねじりばねの付勢力によって、前記鯉口方向へ押される構成にした。
【００１１】
鞘部は、鉈に相応した空間形状をもって形成されるが、その上端に形成された鯉口も鉈の刃部の厚みと幅に相応するように開口している。
さらに、鯉口の一部に抜出防止の引っ掛かりのための閉塞部を設ける構成とした。
【００１２】
さらに本考案の鉈ケースは上記の構成に加えて、前記鞘部の表面側の下方縁中央部に備えられた三角管に、作業者の肢に巻きつけられる長さを有する伸縮バンドとそれに垂直に縫着された伸縮紐及びその伸縮紐の先端に取り付けられたカラビナからなる固定バンドの前記カラビナを、前記三角管に装着する構成にした。
【考案の効果】
【００１３】
本考案の鉈ケースは、上記課題を解決することにより、次のような技術的効果がある。
【００１４】
本考案においては、鉈の納刃、柄の固定、鉈の取り出しの一連の動作をスムーズに行うために、柄をバンドで巻いてホック等で固定する構造を採らず、ねじりばねの付勢構造による保持方法を採用した。
【００１５】
作業者が納刃すると、鉈の柄の端についた口金を保持舌の保持部が、ねじりばねの弾性により押さえて挿嵌する。
これにより、作業者が鉈を納刃する度に柄をバンドで巻いてホック等で固定する手間が省け、作業の効率化に繋がる。
【００１６】
鉈を鞘部から取り出すには、保持舌を外面側方向へ０，５〜１センチメートル程度ずらすだけで、保持を緩めることができるので、殊更手間がかからない構造である。
鯉口の一部に抜出防止の引っ掛かりのための閉塞部を設けたものは、一旦引っ掛かりのない位置に５〜７ミリほど前側に鉈をずらし、鯉口に合わせて抜き出す。
【００１７】
また、保持舌を覆うカバーに高さをもたせたので、作業者が茂みで作業する際、灌木の枝が保持舌の保持部に引っ掛かり、保持舌を外面側方向へ引っ張って、鉈の口金の保持を緩めてしまうことがないようにした。
現実の作業では極めて有効な構成である。
【００１８】
さらに、本考案においては、鉈ケースをより安定して固定するために、固定バンドを用いることとした。伸縮バンドを作業者の膝付近に巻きつけ、その伸縮バンドと直角に縫着された伸縮紐をその上端に取り付けられているカラビナによって、鞘部下端中心部の三角管に嵌める構造になっている。
【００１９】
これにより、鉈ケースが作業者に密着するので、作業者が山の斜面を歩行する際や、灌木の枝が鉈ケースに触れても、激しくゆれたり、ずれたりすることがないので、鉈ケースが安定してより安全に作業及び山道や斜面の歩行が行える。
【図面の簡単な説明】
【００２０】
【図１】本考案に係る鉈ケースの実施例１を示すもので、カバーを外した態様を示す斜視図である。
【図２】同じく本考案に係る鉈ケースの実施例１を示す斜視図である。
【図３】同じく本考案に係る鉈ケースの実施例１を示すもので、鉈を鞘部に納刃した態様を示す斜視図である。
【図４】同じく本考案に係る鉈ケースの実施例１に固定バンドを取り付けた状態を示すもので、固定バンドでの使用要領を示す斜視図である。
【図５】図面代用写真で、本考案に係る鉈ケースの実施例１を示すもので、保持舌が鉈を抑える機構部の斜視からの写真である。
【図６】図面代用写真で、本考案に係る鉈ケースの実施例２を示すもので、鯉口の一方を狭めた特徴のある構造で、鉈を鞘部に納刃した態様の一部斜視図である。
【考案を実施するための形態】
【００２１】
次にこの考案の実施形態を説明する。図１乃至図３に示すものは、同じ実施形態の実施例１で、各部の構造を示すものである。
【実施例１】
【００２２】
図1〜図３，図５（図面代用写真）は、本考案に係る鉈ケースの実施例１を示すもので、図１は、保持機構を覆うカバーを外した態様を示す斜視図である。
図５は、実施例１の試作品で保持舌が鉈を抑える保持機構の斜視からの図面代用の写真である。
鉈と鉈ケースとは、その寸法を相関的に設計され、鉈は、鉈ケースに差し込まれて収納され、安全で、一定の所作でのみ抜き出せる構造である。
その構成は、鉈を差し込んで携帯するための鉈ケース（１）において、鞘部（６）の上端に鯉口（２）を開口し、前記鯉口（２）の表面側である外側縁（２１）に凹型の切欠き（２２）を設け、鞘部（６）に鉈の保持機構を設けるとともにそのカバー（３）を設けたものである。
前記保持機構は、鞘部（６）の表面側の略中央部にシャフト（４１）を備えるコの字型の固定具（４）を固着して設け、前記シャフト（４１）の中央部にねじりばね（８）を巻きつけ、前記ねじりばね（８）をまたいで保持舌（９）を巻きつけて前記シャフト（４１）に回転自在に取り付け、前記保持舌（９）は、前記切欠き（２２）側へ突出する形状で側面視で略「く」の字型の保持部（９２）を有し、前記ねじりばね（８）の一方のアーム（８１）は前記保持舌（９）に当接して固定し、さらに他方のアーム（８２）の先端は、前記保持舌（９）に設けられた孔（９１）を貫通して前記鞘部（６）の表面側に垂直に立設された支柱（７）の先端で固定し、前記保持舌（９）の「く」の字状の屈折部は、前記ねじりばね（８）の付勢力によって、前記鯉口（２）方向へ常時押されているように構成されことを特徴とする。
【００２３】
まず、鯉口（２）に形成された切欠き（２２）について説明する。
切欠き（２２）は鞘部（６）の上端に形成された前記鯉口（２）の表面側である外側縁（２１）が凹型形成されものである。
鞘部（６）に鉈を納刃すると、鉈の柄の口金が切欠き（２２）に嵌まり合う。
一般的な鉈の場合、柄の断面形状はほぼ円形で口金は円形の環状であるので、切欠き（２２）の形状は、図示のよう凹型とすれば、刃の向きを上下何れにした場合でも口金が嵌まり合うことになる。
【００２４】
尚、鞘部（６）の上端に形成された鯉口（２）において、切欠き（２２）の反対側には、半円形の湾曲背面があり、図示してはいないがその背面に、口金の一部が収まる形状すなわち浅い半円形の凹みを形成しているので、口金は一縁を浅い凹みに入り、その反対の一縁は切欠き（２２）の端部にかかって係止する。
さらに、鞘部（６）は、鉈に相応した空間形状をもって形成されるが、その上端に形成された鯉口（２）も鉈の刃部の厚みと幅に相応する口径で開口している。
この鯉口（２）は、実施例２で鉈の刃部の厚みと幅に相応する口径で開口はしているが、その開口方向をずらして、鯉口（２）の表面一部に抜出防止の引っ掛かり閉塞部（２０）を設ける構成も提案する。
【００２５】
閉塞部（２０）は、鉈の刃部が納刃でき引き抜ける開口幅を有する鯉口の端部に設けられ、まっすぐに引くと当接して引っ掛かり、少し傾斜させると、鯉口（２）から引き抜ける。
【００２６】
次に鉈の柄の保持構造について説明する。
鞘部（６）の表面側の略中央部にシャフト（４１）を備えるコの字型の固定具（４）を固着して設け、前記シャフト（４１）の中央部にねじりばね（８）を巻きつけ、前記ねじりばね（８）をまたいで保持舌（９）を巻きつけて前記シャフト（４１）に回転自在に取り付けている。
【００２７】
前記保持舌（９）は、前記切欠き（２２）側へ突出する側面視で略「く」の字型の保持部（９２）を有している一方、後端をシャフト（４１）に巻き付けている金属製の板状部材である。
【００２８】
前記ねじりばね（８）の一方のアーム（８１）は前記保持舌（９）に当接して固定し、さらに他方のアーム（８２）の先端は、前記保持舌（９）に設けられた孔（９１）を貫通して前記鞘部（６）の表面側に垂直に立設された支柱（７）の先端で固定している。
この構成で、前記保持舌（９）の「く」の字状の屈折部は、前記ねじりばね（８）の付勢力によって、前記鯉口（２）方向へ常時押されているように構成される。
【００２９】
作用として説明すると、鞘部（６）の表面側の略中央部にシャフト（４１）を備えるコの字型の固定具（４）を固着して、前記シャフト（４１）の中央部にねじりばね（８）を巻きつけ、前記ねじりばね（８）をまたいで保持舌（９）を巻きつけて固定して、前記ねじりばね（８）の一方のアーム（８１）は前記保持舌（９）に当接して固定し、さらに他方のアーム（８２）の先端は、前記保持舌（９）に設けられた孔（９１）を貫通して前記鞘部（６）の表面側に垂直に立設された支柱（７）の先端で固定してあるので、前記保持舌（９）は、その先端に備えられ、前記切欠き（２２）側へ突出する「く」の字型の保持部（９２）は前記ねじりばね（８）の付勢力によって、前記鯉口（２）方向へ押されるように常時作用する。
【００３０】
前記保持舌（９）の後端の形状は、シャフト（４１）への巻き付けるため、当初Ｕ字状に形成し、シャフト（４１）の中途に設けた前記ねじりばね（８）をＵの間に入れて、またいで巻き付けている。
【００３１】
さて、鉈の柄には、刃部を固定する口金がついているので、本考案ではこの口金の縁の高さを利用して保持する。
つまり、保持部（９２）の略「く」字の屈折部が、切欠き（２２）に嵌まった口金を、ねじりばね（８）による弾性で上から抑え込んで鉈の柄を保持する。  
【００３２】
口金は、切欠き（２２）の凹の中に係止してぶれずに保持され、鞘の内部に設けた浅い凹みに嵌り、更には、ねじりばね（８）のバネ力（付勢力）を持たされた略「く」字の屈折部とで圧迫されて、ほぼ完璧に不動に保持される。
【００３３】
保持部（９２）による保持を解除するには、保持部（９２）を外側方向へ押すようにずらして、保持部（９２）を口金から離すしか、解放の手立てはないことになる。
なお、図６の図面代用写真で示すように、鯉口の表面一端に閉塞部（２０）を設けたものでは、鉈を鞘部に納刃するとき、保持部（９２）を口金から離す作業とともに、図６に記入した屈折矢印のような動きで出し入れすることになる。
鉈は、閉塞部（２０）の引っ掛かりを避ける動きを行っては出し入れをする。
【００３４】
保持部（９２）の略「く」字の屈折部から外側に向いた先端部分に、指をかけて外側に押すと、バネ力（付勢力）と板状保持舌（９）の弾性力に抗して、略「く」字の屈折部は、鉈の口金から離れる。そのとき、鉈を抜きだすことが可能になる。
【００３５】
図２は、同じく本考案に係る鉈ケースの実施例１を示す斜視図である。
図示のとおり、カバー（３）を設けている。
カバー（３）は、切欠き（２２）の下端から固定具（４）までを覆うことができる寸法である。
カバー（３）は前記切欠き（２２）の下端から固定具（４）迄を覆う長さで、又、このカバー（３）から露出している「く」の字型の保持部（９２）の先端より高さと幅が大きい寸法である。
【００３６】
カバー（３）は、シャフトの固定具（４）乃至切欠き（２２）の下端迄を覆う長さを有する筒を長手方向に半分に切断して、各切断縁を外方向へ略９０度折り曲げて接着部（３１）を左右に形成し、該接着部（３１）を鞘部（６）外側面で接着する構成である。
なお、実施例１ではボルトとナットにより取り外し自在に固定する接着方法で実施したが、例示したものであり、これに限定されるものではない。
カバー（３）は、ある程度の高さを持っており、少なくとも保持部（９２）の屈折部からの先端よりも高く、幅も保持部（９２）より大きい。
作業者の被服や灌木の枝等が保持舌（９）や支柱（７）に触って、保持に誤作動を生じるのを防止するためである。
本実施例１のカバーは、半円柱形とし、半径を長じてより厚みをもたせている。
露出している保持部（９２）に灌木の枝等が届きにくくするためであるが、その形状及び寸法は実施例１に限定されるものではない。
【００３７】
図３は、同じく本考案に係る鉈ケースの実施例１を示すもので、鉈を鞘部（６）に納刃した態様を示す斜視図である。
これまで説明したとおり、保持部（９２）が、切欠き（２２）に嵌まった口金を、ねじりばね（８）による弾性で上から抑え込んで鉈の柄を保持し、保持を解除するには、保持部（９２）を外側方向へ押すようにずらして、保持部（９２）を口金から離すことが不可欠である。
【００３８】
図示とおり、三角管（１２）が前記鞘部（６）の表面側の下方縁中央部に備えられている。
又、別途部品として、太ももに巻き付ける伸縮バンド（１２１）と伸縮紐（１２２）とカラビナ（１２３）からなる固定バンド（１２０）を」備えている。
【００３９】
図４は、同じく本考案に係る鉈ケースの実施例１を示すもので、固定バンド（１２０）の使用要領を示す斜視図である。
伸縮バンド（１２１）は作業者の肢に巻きつけられる長さを有する適宜の長さとし、面状テープ等による調節機能を付加してもよい。
伸縮紐（１２２）は前記伸縮バンド（１２１）に直角に縫着され、その伸縮紐（１２２）の先端に取り付けられたカラビナ（１２３）を、前記三角管（１２）に装着する。
【００４０】
カラビナ（１２３）を連結具として採用したのは、過酷な作業現場でも壊れない堅牢さと、休憩時や平坦な場所での作業時に簡易に脱着できるためである。
また、伸縮紐（１２２）は鉈ケース（１）が作業者の身体から離れるのを防ぐことを主な目的とするから、その長さにだぶつきがあっては意味がない。
【００４１】
山の急斜面や木上での作業において、作業者が上体をそらしたり、足を大きく屈折した時、固定バンド（１２０）によって鉈ケース（１）が作業者の身体から離れるのを防ぐことができ、鉈ケース（１）が安定するので、安全に作業及び山道や斜面の歩行が行える。
なお、４図では鉈ケース（１）を左腰側に装着した例としたが、作業の目的や作業者の利き手等により適宜付け替えることができる。
【産業上の利用可能性】
【００４２】
日本の国土は数多の原生林、人工林あるいは里山を擁する。その管理は下草刈り、枝打ち、高木の剪定や伐採等多岐に渡る。
したがって、それに用いられる道具の安全性や使用快適性を向上させることは、作業者にとっても商品選択の重要な要素である。
このような社会的傾向をみると本考案の鉈ケースは、山林管理業務では大きな市場性があるものと推察される。
【符号の説明】
【００４３】
１    鉈ケース
１２  三角管
１２０固定バンド
１２１伸縮バンド
１２２伸縮紐
１２３カラビナ
２    鯉口
２０  鯉口の閉塞部
２１  外側縁
２２  切欠き
３    カバー
３１  接着部
４    固定具
４１  シャフト
５    ベルトループ
６    鞘部
７    支柱
８    ねじりばね
８１  アーム
８２  アーム
９    保持舌
９１  孔
９２  保持部
【図１】
0003170079.tif 000003
【図２】
0003170079.tif 000004
【図３】
0003170079.tif 000005
【図４】
0003170079.tif 000006
【図５】
0003170079.tif 000007
【図６】
0003170079.tif 000008